(57)【要約】【課題】  本考案は自然に優しく、耐久性とともに調和感、高級感に優れ、主として公園、公共施設、レジャー施設、一般家庭等のコミュニケーションや娯楽用の設備として提供するものである。【解決手段】  本考案による一体型ベンチテーブルは、天然木を素材とし、各部材夫々は軽量、堅牢であり、且つ全体はコンパクトで、組み立て、組み換え式であって任意の場所への持ち運び及び収納も容易である。【選択図】  なし【実用新案登録請求の範囲】
【請求項１】
テーブル用天板、ベンチ用座板、脚部、脚連結部、組立用ボルト・ナットの各部材を使い、８人用、６人用、４人用の三通りに自由且つ簡易に組み立て、組み換えのできる一体型ベンチテーブル。
【請求項２】
請求項１のベンチテーブルは、天板及び座板に厚みを持たせた複数の天然木の角板材で構成し、重厚性に加えて美観を引き立たせることを特徴とする一体型のベンチテーブル。
【請求項３】
請求項１のベンチテーブルは、脚部材を天板の面に対して外向きの角度で取り付け、２枚の連結部材で挟む形で固定し、強度と安定度を増すことを特徴とする一体型のベンチテーブル。
【考案の詳細な説明】
【考案の詳細な説明】
【考案の属する利用分野】
【０００１】  本考案は公園、レジャー施設、公共施設の休憩用設備として、あるいは屋外イベントの接客施設、一般家庭の娯楽、休養、応接用として利用することに関係する。
【考案が解決しようとする課題】
【０００２】  狭い場所や任意場所での手軽な設置や少人数による組み立て、解体及び移動や収納を容易とするための問題点を解決する。
【０００３】  手づくり感、安らぎ感と共に高級感を兼ね備え、環境に優しさしく周囲の雰囲気に適合することの問題点を解決する。
【０００４】  材料個々は軽量でありながら永年の使用に耐える堅牢さと、使用時の安定性と安全性についての問題点を解決する。
【課題を解決するための手段】
【０００５】  本考案の請求項１記載の一体式ベンチテーブルは、木製部材で構成し、ボルト・ナットによる組立式とし、夫婦、親子など少人数による組立作業と解体作業及び移動作業を容易とし、損傷部の部分交換を容易とする。
【０００６】  本考案の請求項２記載の一体式ベンチテーブルは、テーブル部の天板とベンチ部の座板及び脚部を天然木の複数本の角板材を組み合わせて使用し、木材特有の優しさ、柔らかさを持たせる。
【０００７】  本考案の請求項３記載の一体式ベンチテーブルは部材全てを防水、防虫、防腐仕上げとし、脚部を天板に対して約７５°外方向に傾斜させ、相欠き組み込み方法によって台形状に組み立てることにより、安定度と強度を保たせる。
【考案の実施形態】
【０００８】  以下、本考案の一体式ベンチテーブルの実施例について図１から図５を参照して構成する部材について説明する。
図１は本考案の一体式ベンチテーブル８人掛け用の斜視図である。
【０００９】  前記一体式ベンチテーブルは、１の脚部材は角度の異なる２種類があり、切り欠き部位、ねじ穴部位、高さは同一とし、互換性を持たせている。２の脚部連結部材は４種類あり、２−ａは共通、２−ｂは８人掛け用、２−ｃは６人掛け用、２−ｄは４人掛け用の各部材である。３はテーブル天板部材で、下面に＃形の下地材を付け、その各辺の中央に脚部材との組み込みに利用するボルト穴を開けてある。４はベンチの座板部材で、下面に相欠き部位を施した下地角材を通して座板をビス止めし、相欠き部と脚部連結部材２と噛み合わせる。これらの部材を長さの異なる４種類のボルト・ナットで締め付けて組み立てる。
【００１０】  図２は一体式ベンチテーブルの部材構成である。図３は８人掛け、６人掛け、４人掛け夫々の組立平面図である。図４は８人掛け、６人掛け、４人掛け夫々の組立側面図である。図５はボルト・ナットの５−ａから５−ｄまでの使用箇所ごとの構成図である。
【００１１】  本考案の一体式ベンチテーブルは相欠き部位を噛み合わせてボルト・ナット締めするので、組み立てが簡単な上に十分な強度が保たれる。
【考案の効果】
【００１２】  本考案の一体式ベンチテーブルは組み立てが簡潔にできる構造であり、解体して収納することも容易である。
【００１３】  強度と耐久性を十分保った安全な構造であり、天然木の風合と家庭や公園の屋内外の雰囲気に調和し、環境に優しいベンチテーブルである。
【００１４】  設置場所のスペースや使用する人数により座席の広さを調整できるベンチテーブルである。
【００１５】  また、天板の中央に穴を設け、用途によっては市販のパラソルなどの立て掛けにも便利である。
【図面の簡単な説明】
【図１】本考案に係る一体式ベンチテーブル８人掛け用の斜視図である。
【図２】本考案に係る一体式ベンチテーブルの部材構成図である。
【図３】本考案に係る一体式ベンチテーブルの８人掛け用、６人掛け用、４人掛け用の平面図である。
【図４】本考案に係る一体式ベンチテーブルの８人掛け用、６人掛け用、４人掛け用の側面図である。
【図５】本考案に係る一体式ベンチテーブルの組み立て用ボルト・ナット構成図である。
【符号の説明】
１・・・脚部材                        ２・・・脚部連結部材
３・・・テーブル天板部材              ４・・・ベンチ座板部材
５・・・ボルト・ナット
ａ〜ｄ・・・各材料の種類及び使用位置
【図１】
0003108654.tif 000002
【図２】
0003108654.tif 000003
【図３】
0003108654.tif 000004
【図４】
0003108654.tif 000005
【図５】
0003108654.tif 000006
【手続補正書】
【提出日】平成16年4月13日(2004.4.13)
【手続補正１】
【補正対象書類名】明細書
【補正対象項目名】実用新案登録請求の範囲
【補正方法】変更
【補正の内容】
【実用新案登録請求の範囲】
【請求項１】  テーブル用天板、ベンチ用座板、脚部、脚連結部、組み立て用ボルト・ナットの各部材を使い、８人掛け用、６人掛け用、４人掛け用の三通りに自由且つ簡易に組み立て、組み換えのできる一体型ベンチテーブルである。
図２の脚連結部材２−ａ２本と２−ｂ２本の中央部欠き込み部を井形になる様に組み合わせ、中央の交わる部分を図５−ｂのボルト・ナットで固定する。次に、脚部材１−ａ４本を脚連結部材で挟むように４方に取り付け、図５−ａのボルト・ナットで固定する。両先部にベンチ座板部材を取り付けるための欠き込みを施した脚連結部材と、下面に取り付け用の欠き込みを施した図２−４のベンチ座板部材を２−ａと２−ｂの両欠き込み部に組み合わせ、図５−ｂのボルト・ナットで固定してベンチ部分を組み立てる。最後に、図２−３テーブル天板部材を脚部材の上部に付いている切り欠き部と下面下地材中央の固定用ボルト穴の位置が合うように取り付け、図５−ｃのボルト・ナットで固定してテーブル部分を組み立て、図３、図４の２人掛け座板４つを１組とする８人掛け用の一体型ベンチテーブルを完成する。
図２の足連結部材２−ａ２本と２−ｃ２本の中央部欠き込み部を井形になる様に組み合わせ、中央の交わる部分を図５−ｄのボルト・ナットで固定する。次に、脚部材１−ａ３本と１−ｂ１本を脚連結部材で挟むように４方に取り付け、図５−ａのボルト・ナットで固定する。この場合、脚部材１−ｂは脚連結部材２−ｃのベンチ座板取り付け用欠き込みの無い方に取り付ける。次に、図２−４ベンチ座板部材を３方に、欠き込み部を組み合わせ、図５−ｂのボルト・ナットで固定してベンチ部分を組み立てる。最後に、図２−３テーブル天板部材を脚部材の上部に付いている切り欠き部と下面下地材中央の固定用ボルト穴の位置が合うように取り付け、図５−ｃのボルト・ナットで固定してテーブル部分を組み立て、図３、図４の２人掛け座板３つを１組とする６人掛け用の一体型ベンチテーブルを完成する。
図２の足連結部材２−ａ２本と２−ｄ２本の中央部欠き込み部を井形になる様に組み合わせ、中央の交わる部分を図５−ｄのボルト・ナットで固定する。次に、脚部材１−ａ２本と１−ｂ２本を脚連結部材で挟む形で取り付け、１−ｂ脚部材は２−ｄ脚連結部材で挟む形で取り付け、図５−ａのボルト・ナットで固定する。次に、図２−４ベンチ座板部材を脚連結部材２−ａの先部の欠き込み部を組み合わせ、図５−ｂのボルト・ナットで固定してベンチ部分を組み立てる。最後に、図２−３テーブル天板部材を脚部材の上部に付いている切り欠き部と下面下地材中央の固定用ボルト穴の位置が合うように取り付け、図５−ｃのボルト・ナットで固定してテーブル部分を組み立て、図３、図４の２人掛け座板２つを１組とする４人掛け用の一体型ベンチテーブルを完成する。
【手続補正書】
【提出日】平成16年8月17日(2004.8.17)
【手続補正１】
【補正対象書類名】実用新案登録請求の範囲
【補正対象項目名】全文
【補正方法】変更
【補正の内容】
【実用新案登録請求の範囲】
【請求項１】
組立式の木製一体型ベンチテーブルにおいて
（１）８人掛けベンチテーブルは、厚さ４ｃｍで幅１５ｃｍ、長さ９０ｃｍの板材からなる９０ｃｍ角の天板部を構成し、それを夫々の直交部に相欠きを施し、中央部にボルト穴を開けた６ｃｍ角材４本から成る♯形の下地材を天板部下面で各辺の内側１５ｃｍに位置するようにネジ釘で固定し、中央部に約５ｃｍ径の穴を施したテーブル天板が１枚とする。厚さ４ｃｍで幅１５ｃｍ、長さ３０ｃｍの板材を組み合わせて一辺が夫々３０ｃｍ、８０ｃｍ角座板部を構成し、夫々を、中央部に厚さ６ｃｍ、幅１２ｃｍ、長さ８０ｃｍの、中央部に長さ３ｃｍ、深さ３ｃｍの欠き込みを６ｃｍ間隔で２箇所施した下地材にネジ釘で固定したベンチ用座板が４枚とする。  厚さ６ｃｍで幅１２ｃｍ、長さ１７０ｃｍの板材の中央部上向きに長さ６ｃｍ×深さ６ｃｍの欠き込みを６ｃｍの間隔で２箇所、両端部９ｃｍ内側に長さ１２ｃｍ×深さ３ｃｍの欠き込みを施し、夫々の書き込み部中央にボルト穴を施し、左右の脚部材との連結箇所に２つの穴を開けた脚連結部材が２本と、同じ加工で中央部２箇所の欠き込みを下向きに施した脚連結部材が２本の計４本とする。厚さ６ｃｍで幅１２ｃｍの板材を長手方向に且つ両端を平行に３０度角に切断し、３０度傾けて立てた場合の高さが７０ｃｍとなる部材とし、上部となる一端の鈍角部には垂直方向に９０度角の切り欠きと切り欠き部の水平方向に穴を開け、脚連結部材との転結箇所に２つの穴を施した脚部材４本とする。
（２）６人掛けベンチテーブルは、８人掛けベンチテーブル用部材の内、下面欠きこみ加工の脚連結部材の片側を４０ｃｍ短くした部材２本と、８人掛けベンチテーブル用脚部材の長手方向に且つ両端を平行に１５度角に切断し、１５度傾けて立てた場合の高さが７０ｃｍとなる脚部材１本を入れ替えたものと、ベンチ座板３枚の構成とする。
（３）４人掛けベンイテーブルは、８人掛けベンチテーブル用部材の内、下面欠きこみ加工の脚連結部材の両側を４０ｃｍ短くした部材２本と、８人掛けベンチテーブル用脚部材の長手方向に且つ両端を平行に１５度角に切断し、１５度傾けて立てた場合の高さが７０ｃｍとなる脚部材２本を入れ替えたものと、ベンチ座板２枚の構成とする。
（４）部材連結用ボルトナットは部材の厚さに合わせた長さの異なる数種類のものとする。
（５）８人掛け、６人掛け、４人掛け共に、部材の寸法を変えることにより、天板や座板の板枚数や大きさを変えることができるものである。
以上からなる組立式の木製一体型ベンチテーブルである。
【請求項２】
請求項１のベンチテーブルは、天板及び座板に厚みを持たせた複数の天然木の角材で構成し、重厚性に加えて美観を引き立たせることを特徴とする一体型のベンチテーブル。
【請求項３】
請求項１のベンチテーブルは、脚部材を天板の面に対して外向きの角度で取り付け、２枚の連結部材で挟む形で固定し、強度と安定度を増すことを特徴とする一体型のベンチテーブル。